(57)【要約】【課題】  ライン出力電位の急激な変化を回避すべく、画像表示装置側の容量を緩やかに充電する【解決手段】  電源オン時に電源ライン８０から供給される定電流を、充電電流として出力し、ライン出力先１０の装置に結合されるコンデンサＣ１を充電する回路３０により、コンデンサＣ１の充電を緩やかに行うことができる。【選択図】図１
2005287279.tif 000002
【特許請求の範囲】
【請求項１】
電源オン時に電源ラインから供給される定電流を、充電電流として出力し、ライン出力先の装置に結合されるコンデンサを充電する回路を有することを特徴とする充電回路。
【請求項２】
前記回路の充電電位は、ラインアンプに印加される基準電圧と同電位であることを特徴とする請求項１に記載の充電回路。
【請求項３】
電源ラインから供給される定電流を、充電電流として出力し、ライン出力先の装置に結合されるコンデンサを充電する第１の回路と、
電源オン時に電源ラインから供給される定電流を、充電電流として出力し、ライン出力先の装置に結合されるコンデンサを充電する第２の回路と、
前記第１の回路あるいはラインアンプを外部からの指令に基づきオンするスイッチと、
を有し、
前記ラインアンプのオフ時には、前記第２の回路のみならず前記第１の回路によってもコンデンサを充電可能であることを特徴とする充電回路。
【請求項４】
前記第１の回路及び第２の回路の充電電位は、ラインアンプに印加される基準電圧と同電位であることを特徴とする請求項３に記載の充電回路。
【請求項５】
前記第１の回路と前記第２の回路とは、時定数を異にすることを特徴とする請求項３又は４に記載の充電回路。
【発明の詳細な説明】
【技術分野】
【０００１】
本発明は、特にラインアンプの動作開始時に発生するショック音を抑制するため、画像表示装置に結合されるコンデンサの充電を緩やかに行う充電回路に関する。
【背景技術】
【０００２】
ビデオカメラやディジタルカメラ等の電子式カメラには、該電子カメラで撮影した映像を、例えばテレビジョン受像機等の画像表示装置の画面上で観賞するため、該画像表示装置にケーブル接続して映像データや音声データを画像表示装置にライン出力するためのライン出力機能が装備されている。
【０００３】
そして、ユーザが画像表示装置の画面上で動画像を観賞する場合、画像表示装置にケーブル接続した状態で電子式カメラの電源オン／オフを行ったり、表示する画像モードを動画像モードと静止画像モードとの間で切り替えたりすることがあるが、このような電子式カメラの電源オン／オフ時あるいはラインアンプ出力のオン／オフ切替時において、ラインアンプの出力端子とライン出力端子の間の直流変動に起因してショック音（ポップ音）が発生することがあった。
【０００４】
そこで従来は、上記のショック音を回避するために、電子式カメラに内蔵されるＩＣ（半導体集積回路）の外付け部品にてショック音の発生を抑制していた。
【０００５】
図２は、従来の上記ショック音を抑制するための構成を示す図である。ラインアンプからの出力信号は、端子、コンデンサＣ及び抵抗Ｒを経由してライン出力端子より画像表示装置等へライン出力される。また、外付け部品であるｎｐｎトランジスタは、抵抗Ｒとライン出力端子との間において、エミッタ側がラインと接続され、コレクタ側がグランドに接続されている。また、電源オン／オフ時やラインアンプ出力のオン／オフ切替時にライン出力端子に対して外部端子から入力されたミュート制御信号により、前記ｎｐｎトランジスタがオン状態になるように構成されている。そして、電源オン／オフ時やラインアンプ出力のオン／オフ切替時にミュート制御信号を入力し、前記ｎｐｎトランジスタをオン状態にすることで、画像表示装置側ではショック音が出なくなる。
【０００６】
尚、上記従来技術のように、ミュート状態にしてショック音の発生を防止するような技術としては、例えば、下記特許文献１に記載のものがある。
【０００７】
【特許文献１】特開２００３−１７９４３５号公報
【発明の開示】
【発明が解決しようとする課題】
【０００８】
ＩＣの小型化、構造の簡略化の点から、外付け部品の削減が要求されている。従って、上記従来技術において、ショック音発生の防止手段であるｎｐｎトランジスタを削減し、且つ、ＩＣ内部でショック音の発生防止が実現できるようになることが好ましい。
【０００９】
ここで、上記のショック音は、ラインアンプの出力端子とライン出力端子の間の直流変動に起因するが、特にラインアンプの動作開始（ラインアンプの電源オン）時には、ライン出力電位が０Ｖから基準電圧ＶＲＥＦまで急激に変化することによってショック音が発生する。
【００１０】
そこで本発明の目的は、上記のライン出力電位の急激な変化を回避するため、画像表示装置側の容量を緩やかに充電する充電回路を提供することにある。
【課題を解決するための手段】
【００１１】
上記課題を解決するために、本発明の充電回路は、電源オン時に電源ラインから供給される定電流を、充電電流として出力し、ライン出力先の装置に結合されるコンデンサを充電する回路を有している。
【００１２】
また、前記回路の充電電位を、ラインアンプに印加される基準電圧と同電位とすることが好ましい。
【００１３】
また、本発明の充電回路は、電源ラインから供給される定電流を、充電電流として出力し、ライン出力先の装置に結合されるコンデンサを充電する第１の回路と、電源オン時に電源ラインから供給される定電流を、充電電流として出力し、ライン出力先の装置に結合されるコンデンサを充電する第２の回路と、前記第１の回路あるいはラインアンプを外部からの指令に基づきオンするスイッチと、を有し、前記ラインアンプのオフ時には、前記第２の回路のみならず前記第１の回路によってもコンデンサを充電可能とすることで、上記課題を解決することができる。
【００１４】
また、前記第１の回路及び第２の回路の充電電位は、ラインアンプに印加される基準電圧と同電位とすると好ましく、さらに、前記第１の回路と前記第２の回路とは時定数を異にすると好ましい。
【発明を実施するための最良の形態】
【００１５】
以下、本発明の実施形態について、図面を参照して説明する。
【００１６】
図１は、本実施形態の全体構成を示す図である。まず、テレビジョン受像機等の画像表示装置１０は、コンデンサＣ１を介してライン出力端子２０に接続されている。また、ライン出力端子２０には、抵抗Ｒ１を介して充電回路３０が接続されると共に、ラインアンプ４０が前記充電回路３０に対して並列に接続されている。このラインアンプ４０は、基準電圧源５０から基準電圧ＶＲＥＦが印加される。
【００１７】
また、切替スイッチ６０が定電流源７０を介して電子式カメラの電源ライン８０に接続されている。この切替スイッチ６０は、例えばシリアル通信などによる外部からの切替制御により切り替えられる。そして、この切替スイッチ６０により、充電回路３０あるいはラインアンプ４０をオン／オフ制御し、充電回路３０あるいはラインアンプ４０の何れか一方に、電源ライン８０からの電流を、定電流源７０を介して供給可能としている。
【００１８】
次に、充電回路３０の回路構成について説明する。
【００１９】
ｐｎｐトランジスタＱ１は、エミッタが電源ライン８０に接続され、コレクタが抵抗Ｒ２を介してグランドに接続され、ベースには、ｐｎｐトランジスタＱ２のベースが接続されている。そして、ｐｎｐトランジスタＱ１と抵抗Ｒ２の接続点には、前記抵抗Ｒ１が接続されている。
【００２０】
また、ｐｎｐトランジスタＱ２は、エミッタが電源ライン８０に接続され、コレクタがｎｐｎトランジスタＱ３のコレクタに接続され、さらに、ｐｎｐトランジスタＱ２のベースコレクタ間は短絡されている。従って、ｐｎｐトランジスタＱ１とｐｎｐトランジスタＱ２とはカレントミラー回路を構成している。
【００２１】
また、ｎｐｎトランジスタＱ３は、エミッタがグランドに接続され、ベースがｎｐｎトランジスタＱ６のベースに接続されている。そして、ｎｐｎトランジスタＱ６は、エミッタがグランドに接続されており、コレクタ側には前記切替スイッチ６０の接点が設けられている。さらに、ｎｐｎトランジスタＱ６のベースコレクタ間は短絡されている。従って、ｎｐｎトランジスタＱ３とｎｐｎトランジスタＱ６とはカレントミラー回路を構成している。
【００２２】
そして、以上のような構成によれば、切替スイッチ６０が充電回路３０と接続することにより、電源ライン８０から定電流源７０を介してトランジスタＱ６に定電流Ｉ０が供給されるが、このとき、トランジスタＱ６がオンとなり、トランジスタＱ３もオンとなる。ここで、トランジスタＱ３とトランジスタＱ６とはカレントミラー回路を構成しているため、トランジスタＱ３には定電流Ｉ０が流れる。さらに、ｎｐｎトランジスタＱ３がオンとなったことにより、ｐｎｐトランジスタＱ１とｐｎｐトランジスタＱ２は共にオンとなる。ここで、トランジスタＱ１とトランジスタＱ２とはカレントミラー回路を構成しているため、トランジスタＱ１，Ｑ２にも定電流Ｉ０が流れる。そして、電源ライン８０からｐｎｐトランジスタＱ１、抵抗Ｒ１及びライン出力端子２０を介して、コンデンサＣ１の充電が行われる。以上のように、トランジスタＱ１、トランジスタＱ２、トランジスタＱ３及びトランジスタＱ６により、切替スイッチ６０の制御により充電を行う第１の充電回路３１が構成される。
【００２３】
一方、ｎｐｎトランジスタＱ４は、コレクタが電源ライン８０に接続され、エミッタが抵抗Ｒ４を介してグランドに接続され、ベースには、ｎｐｎトランジスタＱ５のベースが接続されている。そして、ｎｐｎトランジスタＱ４と抵抗Ｒ４の接続点と、前記トランジスタＱ１、抵抗Ｒ２及び抵抗Ｒ１の共通接続点との間に、抵抗Ｒ３が接続されている。
【００２４】
また、ｎｐｎトランジスタＱ５は、コレクタが定電流源３３を介して電源ライン８０に接続され、エミッタが抵抗Ｒ５を介してグランドに接続され、さらに、ｎｐｎトランジスタＱ５のベースコレクタ間は短絡されている。従って、ｎｐｎトランジスタＱ４とｎｐｎトランジスタＱ５とはカレントミラー回路を構成している。
【００２５】
そして、以上のような構成によれば、電源ライン８０から定電流源３３を介してトランジスタＱ５に定電流Ｉ１が供給されるが、このとき、トランジスタＱ５がオンとなり、トランジスタＱ４もオンとなる。ここで、トランジスタＱ４とトランジスタＱ５とはカレントミラー回路を構成しているため、トランジスタＱ４には定電流Ｉ１が流れる。そして、電源ライン８０からトランジスタＱ４、抵抗Ｒ３、抵抗Ｒ１及びライン出力端子２０を介して、コンデンサＣ１の充電が行われる。以上のように、トランジスタＱ４及びトランジスタＱ５により、電源オン時には常にコンデンサＣ１の充電を行う第２の充電回路３２が構成される。
【００２６】
ここで、第１の充電回路３１における時定数は、コンデンサＣ１の容量と抵抗Ｒ１の抵抗値とで決定され、第２の充電回路３２における時定数は、コンデンサＣ１の容量と、抵抗Ｒ１及び抵抗Ｒ３の抵抗値とで決定される。
【００２７】
従って、本発明の充電回路３０は、上述のように、時定数の異なる２種類の充電回路３１，３２を有する構成となっており、このような２種類の充電回路３１，３２を用いることにより、充電動作の立ち上がりを早くすることができる。
【００２８】
また、上記構成においては、抵抗Ｒ２、Ｒ４、Ｒ５の抵抗値に基づいて充電電位を決定しており、トランジスタＱ１、抵抗Ｒ２及び抵抗Ｒ１の共通接続点に得られる電圧Ｖ１と、トランジスタＱ４と抵抗Ｒ４の接続点に得られる電圧Ｖ２とが、共に基準電圧ＶＲＥＦとなるように決定される。
【００２９】
そして、以上のような構成の回路において、まず電源がオンとなると、第２の充電回路３２によってコンデンサＣ１の充電が緩やかに行われる。そして、次に切替スイッチ６０を制御して充電回路３０をオンすることにより、第２の充電回路３２のみならず第１の充電回路３１によってもコンデンサＣ１の充電が行われるため、充電時間を短縮させることができる。
【００３０】
こうしてコンデンサＣ１への充電が終了した後に、切替スイッチ６０により充電回路３０とラインアンプ４０とを切り替えてラインアンプ４０をオンする。このとき、トランジスタＱ６がオフとなり、次いでトランジスタＱ３，トランジスタＱ２及びトランジスタＱ１もオフとなるため、第１の充電回路３１は動作を終了する。しかし、第２の充電回路３２には定電流源３３からの電源供給が継続しており、充電動作は継続する。従って、このラインアンプ４０への切り替えによる電位の変動が発生せず、ラインアンプ４０をオンした時に、ショック音が発生しなくなる。
【００３１】
また、切替スイッチ６０の切り替えによりラインアンプ４０をオフした場合にも、第２の充電回路３２には定電流源３３からの電源供給が継続し、充電動作が継続しているため、ライン出力電位の急激な変化は生じることがない。従って、ラインアンプ４０をオフした時にも、ショック音が発生しなくなる。
【００３２】
尚、充電回路３０において、第２の充電回路３２のみを備えて電源オン時から充電を行い、充電終了後にラインアンプ４０をオンするようにしても、切り替えによる電位の変動が発生しないため、ショック音は発生しなくなる。従って、充電時間が長すぎるという問題はあるが、上記充電回路３０は、第２の充電回路３２のみを備える構成としても、コンデンサＣ１を緩やかに充電することができ、ライン出力電位の急激な変化を回避することは可能である。
【００３３】
また、本発明は上記実施形態に限定されるものではなく、電源オン時から充電を行うことができる回路を有する充電回路であれば、他の等価な回路構成によっても良い。
【図面の簡単な説明】
【００３４】
【図１】本発明の一実施形態の全体構成を示す図である。
【図２】従来のショック音を抑制するための構成を示す図である。
【符号の説明】
【００３５】
１０  画像表示装置、２０  ライン出力端子、３０  充電回路、３１  第１の充電回路、３２  第２の充電回路、３３  定電流源、４０  ラインアンプ、５０  基準電圧源、６０  切替スイッチ、７０  定電流源、８０  電源ライン。
【図１】
2005287279.tif 000003
【図２】
2005287279.tif 000004